(57)【特許請求の範囲】
【請求項１】
固定本体１にロータ２を回転可能に収容し、一対の幅方向内側面８ａとこれらの内端に交差する一つの長さ方向内側面８ｂとによって画定され、ロータ２の外面と接する固定本体１の内面に向かって開口している鍵孔８をロータ２に設け、固定本体１の駆動ピン受孔３とロータ２の従動ピン受孔４に駆動ピン５と従動ピン６を収容し、タンブラーピン用バネ７によって駆動ピン５をロータ２の方向に付勢し、ロータ２の鍵孔８から鍵９を抜き取った施錠状態において、駆動ピン５の先端部を前記従動ピン受孔４に係合させることによって、ロータ２を固定本体１に対して回転不能に拘束するピンタンブラー錠において、
鍵孔８の最奥部に向かって開口しており、鍵孔８の一方の幅方向内側面８ａと固定本体１の前記内面のいずれに対しても傾斜しているセキュリティーピン受孔１０を固定本体１に設け、セキュリティーピン受孔１０に収容したセキュリティーピン１１をセキュリティーピン用バネ１２によって鍵孔８の方向に付勢して、セキュリティーピン１１の先端部１１ａを鍵孔８の前記一方の幅方向内側面８ａと固定本体１の前記内面とが交差してなる隅部より鍵孔８内に突出させ、板状鍵８の先端部における側端縁部と腹面部が交差してなる縁部１３によって、セキュリティーピン１１の先端部１１ａを前記セキュリティーピン受孔１０に押し戻すようにしたピンタンブラー錠。
【請求項２】
固定本体１の前端部に堅剛なカバー盤１４を回転可能に装着し、カバー盤１４に鍵孔８に連通する透孔１５を設け、固定本体１の前端部に円筒状鍔部１６を形成し、カバー盤１４の周側面部を該円筒状鍔部１６で被覆し、円筒状鍔部１６の外部に突出しているカバー盤１４の外表面を球面状に形成してあることを特徴とする請求項１に記載のピンタンブラー錠。
【発明の詳細な説明】
【０００１】
【発明が属する技術分野】
本発明は自動販売機や自動車、建物等に使用されるピンタンブラー錠に関するものである。
【０００２】
【従来の技術】
ピンタンブラー錠では、固定本体にロータを回転可能に収容し、固定本体の駆動ピン受孔とロータの従動ピン受孔に駆動ピンと従動ピンを収容し、タンブラーピン用バネによって駆動ピンをロータの方向に付勢し、ロータの鍵孔から鍵を抜き取った施錠状態において、駆動ピンの先端部を従動ピン受孔に係合させることによって、ロータを固定本体に対して回転不能に拘束している。
【０００３】
最近、家屋や自動販売機などではピッキング用具によるピンタンブラー錠の抉じ開け被害が頻発している。ピッキング用具は針金状や細い帯板状の部材であり、鍵孔内に突出している従動ピンの先端部を押し上げて、駆動ピンの先端部を固定本体の駆動ピン受孔に押し戻すものであり、ロータに解錠方向への回転モーメントをかけながら、鍵孔に沿って前後方向に配列された複数のピンタンブラー（従動ピンと駆動ピン）のセットに対して前記押し上げ操作を何回も試行する。そして、全部のピンタンブラーのセットについて、従動ピンと駆動ピンの接触面が固定本体とロータの接触面に合致したとき、ロータの回転拘束が解除され、ロータは解錠方向に回される。このようなピッキング用具による不正解錠に対して種々の防護策が採用されているが、いまだ万全なものはない。
【０００４】
【発明が解決しようとする課題】
したがって本発明の目的は、ピッキング用具による不正解錠に対するセキュリティーが改善されたピンタンブラー錠を提供することである。
【０００５】
【課題を解決するための手段】
請求項１の発明の要旨は、固定本体１にロータ２を回転可能に収容し、一対の幅方向内側面８ａとこれらの内端に交差する一つの長さ方向内側面８ｂとによって画定され、ロータ２の外面と接する固定本体１の内面に向かって開口している鍵孔８をロータ２に設け、固定本体１の駆動ピン受孔３とロータ２の従動ピン受孔４に駆動ピン５と従動ピン６を収容し、タンブラーピン用バネ７によって駆動ピン５をロータ２の方向に付勢し、ロータ２の鍵孔８から鍵９を抜き取った施錠状態において、駆動ピン５の先端部を前記従動ピン受孔４に係合させることによって、ロータ２を固定本体１に対して回転不能に拘束するピンタンブラー錠において、
鍵孔８の最奥部に向かって開口しており、鍵孔８の一方の幅方向内側面８ａと固定本体１の前記内面のいずれに対しても傾斜しているセキュリティーピン受孔１０を固定本体１に設け、セキュリティーピン受孔１０に収容したセキュリティーピン１１をセキュリティーピン用バネ１２によって鍵孔８の方向に付勢して、セキュリティーピン１１の先端部１１ａを鍵孔８の前記一方の幅方向内側面８ａと固定本体１の前記内面とが交差してなる隅部より鍵孔８内に突出させ、板状鍵８の先端部における側端縁部と腹面部が交差してなる縁部１３によって、セキュリティーピン１１の先端部１１ａを前記セキュリティーピン受孔１０に押し戻すようにしたことである。
【０００６】
請求項２の発明の要旨は、請求項１の発明の前記構成に加えて、固定本体１の前端部に堅剛なカバー盤１４を回転可能に装着し、カバー盤１４に鍵孔８に連通する透孔１５を設け、固定本体１の前端部に円筒状鍔部１６を形成し、カバー盤１４の周側面部を該円筒状鍔部１６で被覆し、円筒状鍔部１６の外部に突出しているカバー盤１４の外表面を球面状に形成してあることである。
【０００７】
【発明の作用】
請求項１の発明では、正当管理者が適正な鍵９をロータ２の鍵孔８に挿入すると、鍵９の側縁部または腹面部に形成されている凹部や凸部からなるキーコード部１７に対応して、各ピンタンブラーのセットにおいて従動ピン６が従動ピン受孔４に所定量だけ押し込まれ、それに追随して駆動ピン５が固定本体１とロータ２間のシャーラインまで押し戻される。鍵９が鍵孔８の最奥部の前記隅部まで挿入された最終段階で、鍵９の先端部の前記縁部１３によってセキュリティーピン１１の先端部１１ａが押され、セキュリティーピン１１の全体が固定本体１のセキュリティーピン受孔１０に退没する。かくして、本来のピンタンブラーのセットによるロータ２の回転拘束と、セキュリティーピン１１による回転拘束の双方が解除されるため、ロータ２は鍵９によって解錠方向に回される。セキュリティーピン１１の存在を知らない盗犯者が、本来のピンタンブラーのセットにアクセスし、ピッキング用具で全ての従動ピン６を押し込むことに成功しても、セキュリティーピン１１を所定量だけ押し込まない限り、ロータ２を解錠方向に回すことはできない。
【０００８】
また、仮に盗犯者がセキュリティーピン１１の存在を察知しても、固定本体１に設けたセキュリティーピン受孔１０が、鍵孔８の前記一方の幅方向内側面８ａと固定本体１の前記内面のいずれに対しても傾斜して配置されており、セキュリティーピン１１の先端部１１ａが、鍵孔８の最奥部における前記一方の幅方向内側面８ａと固定本体１の前記内面とが交差してなる隅部より突出しているため、ピッキング用具の先端がセキュリティーピン１１の先端部１１ａより滑ってしまい、セキュリティーピン１１を必要十分に押し続けることができない。偶然にセキュリティーピン１１の先端部１１ａが必要量だけ押され、セキュリティーピン１１によるロータ２の回転拘束が解除されたとしても、ピッキング用具の先端がセキュリティーピン１１の先端部１１ａから外れた瞬間にセキュリティーピン１１がセキュリティーピン用バネ１４の付勢によって直ちに前進し、セキュリティーピン１１が固定本体１とロータ２間のシャーラインに跨ることになるため、ロータ２は再び回転拘束される。
【０００９】
請求項２の発明では、固定本体１の前端部に回転可能に装着した堅剛なカバー盤１４によって、盗犯者の目からセキュリティーピン１１までの距離が増加するため、セキュリティーピン１１の存在を察知される危険性が低下するとともに、たとえ察知されてもセキュリティーピン１１の押し込み操作が一段と困難になる。正当管理者は、カバー盤１４を適宜回して、カバー盤１４の透孔１５をロータ２の鍵孔８に整合させた状態で、鍵９を透孔１５から鍵孔８に挿入する。ロータ２を回すとき、カバー盤１４は鍵９と一緒に回される。
【００１０】
また、請求項２の発明では、固定本体１の前端部に円筒状鍔部１６を形成し、カバー盤１４の周側面部を該円筒状鍔部１６で被覆し、円筒状鍔部１６の外部に突出しているカバー盤１４の外表面を球面状に形成してあるため、カバー盤１４の周側面部を打撃しても、ピッキング操作に邪魔な存在であるカバー盤１４を取り外すことができない。
【００１１】
【発明の実施の形態】
図示の実施例では、図１２に示したようにリバーシブル型の鍵９のキーコード部１７は、側端縁部と腹面部に形成されており、これに対応して従動ピン受孔４は図５、図６および図８に示したように鍵孔８の幅方向内側面８ａと、長手方向内側面８ｂに形成されている。タンブラーピン用バネ７は圧縮コイルバネで構成され、基端部が固定本体１に固着されたバネ受け部材１８に当接している。従動ピン６の中間部には、先端部６ａの鍵孔８への突出量を制限する停止肩部６ｂを形成してある。セキュリティーピン用バネ１２も圧縮コイルバネで構成され、基端部は固定本体１に固着されたバネ受け部材１９に当接している。セキュリティーピン１１の中間部にも同様な停止肩部１１ｂを形成してある。
【００１２】
固定本体１の前端部の外周面には環状溝２０が形成され、固定本体１の前端部を包み込むカバー盤１４の基端部の内周面には、環状溝２０に対面する環状溝２１を形成してある。これら環状溝２０，２１に跨ってＣ-リングなどの抜止め部材２２を係合させることに
よって、カバー盤１４は固定本体１に回転可能に装着されている。
【００１３】
【発明の効果】
以上のように請求項１の発明では、鍵孔８の前記一方の幅方向内側面８ａと固定本体１の前記内面のいずれに対しても傾斜しているセキュリティーピン受孔１０を、鍵孔８の最奥部に向け開口させて固定本体１に設け、セキュリティーピン受孔１０に収容したセキュリティーピン１１をセキュリティーピン用バネ１２によって鍵孔８の方向に付勢して、セキュリティーピン１１の先端部１１ａを、鍵孔８の前記一方の幅方向内側面８ａと固定本体１の前記内面とが交差してなる隅部より鍵孔８内に突出させ、板状鍵８の先端部における側端縁部と腹面部が交差してなる縁部１３によって、セキュリティーピン１１の先端部１１ａを前記セキュリティーピン受孔１０に押し戻すようにしてあるため、一般に本来のピンタンブラーの配列状態と従動ピン６の突出量のみに専ら関心を向け、その神経を集中している盗犯者は、鍵孔８の最奥部の幅方向内側面８ａと固定本体１の前記内面とが交差してなる隅部にあるセキュリティーピン１１の存在を察知することができない。そのため、ピッキング用具でピンタンブラーの各セットを解錠可能な状態に設定することができても、依然としてセキュリティーピン１１によるロータ２の回転拘束が維持されているので、ピンタンブラー錠の不正解錠は的確に防止され、セキュリティーが向上する。
【００１４】
また、請求項１の発明では、固定本体１に設けたセキュリティーピン受孔１０が、鍵孔８の幅方向内側面８ａと長手方向内側面８ｂのいずれに対しても傾斜配置されており、セキュリティーピン１１の先端部１１ａが、鍵孔８の最奥部の幅方向内側面８ａと固定本体１の前記内面とが交差してなる隅部より突出しているため、何かの拍子で偶然にセキュリティーピン１１の存在を盗犯者が察知したとしても、鍵孔８の各内側面８ａ，８ｂに対して傾斜配置されているセキュリティーピン１１の先端部１１ａをピッキング用具で押そうとしても、ピッキング用具の先が滑ってしまい、必要十分な量を押すことができない。また、仮に押せたとしても全てのピンタンブラーのセットがシャーラインに来るまで押し込み位置に保持することが容易でなく、不正解錠に対するセキュリティーが一段と向上する。
【００１５】
請求項２の発明では、固定本体１の前端部にカバー盤１４に回転可能に装着し、カバー盤１４に鍵孔８に連通する透孔１５を設けてあるので、カバー盤１４の厚さ分だけセキュリティーピン１１が更に奥に配置されることになり、セキュリティーピン１１の押し込み操作がより一段と困難になる。
【図面の簡単な説明】
【図１】本発明の一実施例に係るピンタンブラー錠の正面図であり、施錠状態を示している。
【図２】図１のピンタンブラー錠の右側面図である。
【図３】図１のピンタンブラー錠の背面図である。
【図４】図１のピンタンブラー錠の底面図である。
【図５】図２のＡ−Ａ線断面図である。
【図６】図２のＢ−Ｂ線断面図である。
【図７】図２のＣ−Ｃ線断面図である。
【図８】図２のＤ−Ｄ線断面図である。
【図９】本発明の別の実施例に係るピンタンブラー錠の正面図であり、施錠状態を示している。
【図１０】図９のピンタンブラー錠の右側面図である。
【図１１】図１０のＥ−Ｅ線断面図である。
【図１２】本発明の前記実施例で使用される鍵の右側面図である。
【図１３】図１２の鍵の底面図である。
【符号の説明】
１  固定本体
２  ロータ
３  駆動ピン受孔
４  従動ピン受孔
５  駆動ピン
６  従動ピン
７  タンブラーピン用バネ
８  鍵孔
９  鍵
１０  セキュリティーピン受孔
１１  セキュリティーピン
１２  セキュリティーピン用バネ
１３  鍵の先端縁部
１４  カバー盤
１５  透孔
１６  円筒状鍔部
【図１】
0003596673.tif 000002
【図２】
0003596673.tif 000003
【図３】
0003596673.tif 000004
【図４】
0003596673.tif 000005
【図５】
0003596673.tif 000006
【図６】
0003596673.tif 000007
【図７】
0003596673.tif 000008
【図８】
0003596673.tif 000009
【図９】
0003596673.tif 000010
【図１０】
0003596673.tif 000011
【図１１】
0003596673.tif 000012
【図１２】
0003596673.tif 000013
【図１３】
0003596673.tif 000014